(57)【要約】【課題】  専用の開発設計なしに、複数の表示器を単一の表示コントローラで駆動制御できるようにし、同一の取引内容ではあっても異なる表示内容を表示可能にする。【解決手段】  ＳＴＮ型の液晶表示パネル１０、１１をそれぞれ有する第１、第２の表示器を、ＤＳＴＮ型液晶表示パネル用の液晶パネルコントローラ２８で駆動制御する。つまり、液晶パネルコントローラ２８は、上画像用の画像信号に基づいて第１の表示器の液晶表示パネル１０を駆動制御し、下画像用の画像信号に基づいて第２の表示器の液晶表示パネル１１を駆動制御する。したがって、専用の開発設計なしに、複数の表示器を単一の表示コントローラである液晶パネルコントローラ２８で駆動制御でき、しかも、同一の取引内容ではあっても異なる表示内容を各表示器に表示させることができる。【選択図】    図４
2005228099.tif 000002
【特許請求の範囲】
【請求項１】
入力された商品コードに基づいて商品販売データ処理を実行するデータ処理部を有する商品販売データ処理装置において、
縦方向画素数がＸであるＳＴＮ型の液晶表示パネルを有する第１の表示器と、
縦方向画素数がＸであるＳＴＮ型の液晶表示パネルを有する第２の表示器と、
縦方向制御画素数が２Ｘ以上であるＤＳＴＮ型液晶表示パネル用の液晶パネルコントローラと、
を備え、前記液晶パネルコントローラは、上画像用の画像信号に基づいて前記第１の表示器を駆動制御し、下画像用の画像信号に基づいて前記第２の表示器を駆動制御することを特徴とする商品販売データ処理装置。
【請求項２】
品物の重量を計量して計量値データを出力する計量部を備え、
前記データ処理部は、
商品コードによって特定される商品毎に単位重量当りの単価を規定するＰＬＵファイルを参照して入力された商品コードによって特定される商品の単価を検索し、この単価に前記計量部が出力する計量値データに基づいて特定される重量を積算することで当該商品コードによって特定される商品の価格を算出する処理と、
前記液晶パネルコントローラを駆動制御し、入力された商品コードによって特定される商品について、少なくとも算出した価格を前記第１の表示器及び前記第２の表示器に表示させる処理と、
を実行することを特徴とする請求項１記載の商品販売データ処理装置。
【発明の詳細な説明】
【技術分野】
【０００１】
本発明は、商品販売データ処理を実行する秤装置、ＰＯＳ端末、ＥＣＲ等の商品販売データ処理装置に関する。
【背景技術】
【０００２】
商品販売データ処理装置として客と対面して用いられる秤装置は、ある品物の重量を計量したら、商品コードによって特定される商品毎に単位重量当りの単価を規定するＰＬＵ（プライスルックアップ）ファイルを参照し、その品物である商品の単価に計量した重量を積算して当該商品の価格を算出し、算出した価格を表示器に表示する。この場合の表示処理は、客用表示器と店員用表示器との二つの表示器に行なうのが一般的である。
【０００３】
また、商品販売データ処理装置としてのＰＯＳ端末やＥＣＲ等は、例えばバーコードスキャナ等によって入力された商品コードに基づいて、商品コードによって特定される商品毎に単価を規定するＰＬＵ（プライスルックアップ）ファイルを参照し、当該商品コードによって特定される商品の価格を求め、求めた価格を表示器に表示する。この場合、客用表示器と店員用表示器との二つの表示器に行なうものが知られている。
【０００４】
以上例示したように、秤装置、ＰＯＳ端末、ＥＣＲ等の商品販売データ処理装置では、一般的に、客用表示器と店員用表示器との二つの表示器が備えられ、同一の取引内容をそれらの二つの表示器（客用表示器、店員用表示器）に同時に表示するようにしている。したがって、二つの表示器を備えた従来の商品販売データ処理装置では、それぞれの表示器を個々に駆動制御するための独立した表示コントローラが要求される。
【０００５】
これに対して、商品販売データ処理装置の例ではないが、複数の表示器を有する情報処理装置であって、単一の表示コントローラによって複数の表示器を駆動制御するようにした表示制御技術も従来から知られている（例えば、特許文献１参照）。
【０００６】
【特許文献１】特開平１１−２７２２４８号公報
【発明の開示】
【発明が解決しようとする課題】
【０００７】
特許文献１に見られるように、単一の表示コントローラによって複数の表示器を駆動制御するようにした表示制御技術が従来から知られているが、この場合の表示コントローラは複数の表示器を駆動制御するように構成された専用品であるものと思量される。このため、そのような表示コントローラは、専用の開発設計なしには実現不可能である。
【０００８】
しかも、特許文献１に開示された技術は、異なる仕様の二つの表示装置に同一の内容の情報を異なる色で表示可能とさせる技術であり、二つの表示装置に異なる内容の表示をさせることはできない。この意味で、客用表示器と店員用表示器との二つの表示器を備え、それぞれの表示器に同一の取引内容ではあっても異なる表示内容を表示することが求められる商品販売データ処理装置に対して、特許文献１に開示された技術を適用することは不適当である。
【０００９】
本発明の目的は、専用の開発設計なしに、複数の表示器を単一の表示コントローラで駆動制御できるようにすることである。
【００１０】
本発明の目的は、複数の表示器を単一の表示コントローラで駆動制御し、同一の取引内容ではあっても異なる表示内容を表示させるようにすることである。
【課題を解決するための手段】
【００１１】
本発明は、入力された商品コードに基づいて商品販売データ処理を実行するデータ処理部を有する商品販売データ処理装置の発明であり、縦方向画素数がＸであるＳＴＮ型の液晶表示パネルを有する第１の表示器と、縦方向画素数がＸであるＳＴＮ型の液晶表示パネルを有する第２の表示器と、縦方向制御画素数が２Ｘ以上であるＤＳＴＮ型液晶表示パネル用の液晶パネルコントローラとを備え、前記液晶パネルコントローラを、上画像用の画像信号に基づいて前記第１の表示器を駆動制御し、下画像用の画像信号に基づいて前記第２の表示器を駆動制御するように用いる。
【発明の効果】
【００１２】
本発明によれば、ＳＴＮ型の液晶表示パネルを有する二つの表示器をＤＳＴＮ型液晶表示パネル用の一つの液晶パネルコントローラにより駆動制御するようにしたので、専用の開発設計なしに、複数の表示器を単一の表示コントローラで駆動制御することができ、また、同一の取引内容ではあっても異なる表示内容を二つの表示器に別個独立して表示させることができる。
【発明を実施するための最良の形態】
【００１３】
本発明の一実施の形態を図面に基づいて説明する。本実施の形態は、商品販売データ処理装置として、例えばオペレータである店員と顧客とがショーケースを介して対面し、ショーケース内に陳列されている惣菜や肉等を秤売りする惣菜店や精肉店において、ショーケースの上に載置して使用する対面式の秤装置への適用例を示す。
【００１４】
図１は本実施の形態の秤装置１を示す正面図、図２はその側面図である。図１及び図２に示すように、秤装置１は、扁平筐体状のハウジング２の上面に設けられ重量を計量される商品が載置される秤皿３と、店員側の正面左側に設けられた操作部４と、店員側の正面右側に設けられたプリンタ５と、第１の表示器である客用表示器６と第２の表示器である店員用表示器７とが背中合わせで一体化されてハウジング２の奥側上面から立設された表示ユニット８とを有している。なお、ハウジング２の内部であって秤皿３の下方位置には、秤皿３に連結され品物の重量を電気的信号として出力する計量部として機能するロードセルユニット９（図３参照）が設けられている。
【００１５】
客用及び店員用表示器６，７は、同一構造のＳＴＮ（Super Twisted Nematic）型の液晶表示パネル１０，１１（図３参照）を有している。これらの客用及び店員用のＳＴＮ型の液晶表示パネル１０，１１の仕様は、取り扱い色＝モノクロ、駆動信号＝４ビットであり、画素数（横×縦）としては、３２０ドット×１２０ドットや３２０ドット×２４０ドット（ＱＶＧＡ）や６４０ドット×２４０ドットなどを例示することができる。ＳＴＮの表示原理は、液晶画面において電流を導く導線を縦横に格子状に配置し、縦横それぞれのタイミングを合わせて導線に電気信号を送ることで、導線が交差する位置の画素を点灯させるものである。
【００１６】
図３は秤装置１が備える各部の電気的接続を示すブロック図、図４は客用及び店員用の液晶表示パネル１０，１１と液晶パネルコントローラ２８とを示すブロック図である。秤装置１に内蔵される各部の電気的接続について図３を参照して説明する。図３に示すように、秤装置１にはデータ処理部を構成するマイクロコンピュータ（以下、マイコンという。）２０が備えられており、このマイコン２０が各部を駆動制御する。マイコン２０は、各部を集中的に制御するＣＰＵ（Central Processing Unit）２１を備え、このＣＰＵ２１に対して、バスライン２２を介し、制御プログラムなどの固定データを格納するFlashＲＯＭ（Read Only Memory）２３と各種データを書き換え自在に記憶するワークエリア等として機能するＲＡＭ（Random Access Memory）２４とが接続されて構成されている。FlashＲＯＭ２３には、制御プログラムのほかに、商品毎に商品コード、商品名、単位重量当たりの単価などを対応付けて記憶しているＰＬＵファイルが格納されている。
【００１７】
マイコン２０には、Ｉ／Ｏポート２５を介した操作部４、プリンタコントローラ２６を介したプリンタ５、Ｉ／Ｏポート２７を介したロードセルユニット９、単一の液晶パネルコントローラ２８を介した客用及び店員用の液晶表示パネル１０，１１がバスライン２２を介して接続されている。このようなマイコン２０に接続された各部を次に説明する。
【００１８】
操作部４は、重量を計量する商品を指定するためのＰＬＵキーや部門キーなどの各種キーが設けられて構成され、操作されたキーに応じた信号をＩ／Ｏポート２５によってマイコン２０に入力する。
【００１９】
プリンタ５は、マイコン２０からの印字データがプリンタコントローラ２６に入力されると、プリンタコントローラ２６に駆動されて所定の用紙（図示せず）に所定事項を印字し発行する。
【００２０】
ロードセルユニット９は、ロードセル等によって構成され、秤皿３に載置された品物の重量を計量して計量値データを出力する構造のものである。
【００２１】
客用及び店員用のＳＴＮ型の液晶表示パネル１０，１１は、ＤＳＴＮ（Dualscan Super Twisted Nematic）型液晶表示パネル用の単一の液晶パネルコントローラ２８に駆動制御されて所定事項を表示する。ＤＳＴＮ型液晶表示パネルは、ＳＴＮ型液晶表示パネルが液晶画面の上から下に順次走査するのに対して、液晶画面を上下２分割し、上画面と下画面とで同時に上から下に向かって走査する構成の液晶パネルである。このようなＤＳＴＮ型液晶表示パネルが接続される液晶パネルコントローラは、上画面に映し出す上画像用の画像信号に基づいて上画面を駆動制御し、下画面に映し出す下画像用の画像信号に基づいて下画面を駆動制御する。本実施の形態では、上画面と下画面とに代えて客用及び店員用のＳＴＮ型液晶表示パネル１０，１１が液晶パネルコントローラ２８に接続されている。
【００２２】
液晶パネルコントローラ２８の仕様は、取り扱い色＝モノクロ、全駆動信号＝８ビットであり、その縦方向制御画素数は、液晶表示パネル１０，１１の縦方向画素数をＸとしたときに、２Ｘ以上に設定されている。具体的には、液晶表示パネル１０，１１の画素数（横×縦）が、それぞれ、３２０ドット×１２０ドット、３２０ドット×２４０ドット（ＱＶＧＡ）、６４０ドット×２４０ドットの場合には、液晶パネルコントローラ２８の制御画素数（横×縦）は、それぞれ、３２０ドット×２４０ドット、３２０ドット×４８０ドット（ＨＶＧＡ）、６４０ドット×４８０ドットにそれぞれ設定される。
【００２３】
このような液晶パネルコントローラ２８には、図４に示すように、クロック信号やフレーミング信号などの共通信号を生成する共通信号生成部３１、マイコン２０から入力された上画像用の画像信号に基づいて上画像用の４ビットの駆動信号を生成する上画面駆動信号生成部３２、マイコン２０から入力された下画像用の画像信号に基づいて下画像用の駆動信号を生成する下画面駆動信号生成部３３などが設けられている。本実施の形態では、上画像用の画像信号及び駆動信号を客用液晶表示パネル１０用の画像信号及び駆動信号として使用し、下画像用の画像信号及び駆動信号を店員用液晶表示パネル１１用の画像信号及び駆動信号として使用する。この場合、マイコン２０が生成する客用の画像信号と店員用の画像信号とは、異なるものであっても良いし、同じものであっても良い。そして、液晶パネルコントローラ２８は、マイコン２０とともに図示しないＰＣ板に搭載されている。
【００２４】
客用及び店員用のＳＴＮ型の液晶表示パネル１０，１１には、液晶パネルコントローラ２８からのクロック信号やフレーミング信号などの共通信号を受信するための共通信号受信部３４、液晶パネルコントローラ２８からの４ビットの駆動信号を受信する駆動信号受信部３５が設けられている。共通信号受信部３４は、液晶パネルコントローラ２８の共通信号生成部３１に接続され、客用のＳＴＮ型の液晶表示パネル１０の駆動信号受信部３５は、液晶パネルコントローラ２８の上画面駆動信号生成部３２に接続され、店員用のＳＴＮ型の液晶表示パネル１１の駆動信号受信部３５は、液晶パネルコントローラ２８の下画面駆動信号生成部３３に接続されている。
【００２５】
このような構成において、秤装置１を使用するには、操作部４によるＰＬＵキーや部門キーを利用したキー入力によって重量を計量する商品の商品コードを入力することで当該商品を指定し、これと前後して秤皿３にその商品を載置する。これにより、ロードセルユニット９から出力された計量値データがＩ／Ｏポート２７によってマイコン２０に入力される。すると、マイコン２０は、秤皿３に載置された商品の重量に応じた価格を、入力された計量値データに基づき、FlashＲＯＭ２３に格納されたＰＬＵファイルを参照して演算によって求める。そして、マイコン２０は、液晶パネルコントローラ２８を駆動制御し、当該商品の品名、単価、価格等を客用及び店員用の液晶表示パネル１０，１１に表示させる。こうして、データ処理部としてのマイコン２０は、ＰＬＵファイルを参照して入力された商品コードによって特定される商品の単価を検索し、この単価にロードセルユニット９が出力する計量値データに基づいて特定される重量を積算することで当該商品コードによって特定される商品の価格を算出する処理と、液晶パネルコントローラ２８を駆動制御し、入力された商品コードによって特定される商品について、品名、単価、価格等を客用及び店員用の液晶表示パネル１０，１１に表示させる処理とを実行することになる。
【００２６】
次いで、上画像用の画像信号としての客用液晶表示パネル１０用の画像信号と、下画像用の画像信号としての店員用液晶表示パネル１１用の画像信号とを含む画像信号がマイコン２０から液晶パネルコントローラ２８に入力されると、液晶パネルコントローラ２８は、その画像信号に基づいて客用及び店員用の液晶表示パネル１０，１１を駆動制御する。具体的には、共通信号生成部３１によって、クロック信号やフレーミング信号などの共通信号を生成して客用及び店員用の液晶表示パネル１０，１１の共通信号受信部３４に送信する。これとともに、上画面駆動信号生成部３２によって、マイコン２０から入力された画像信号のうちの客用（上画像用）の画像信号に基づいて客用（上画像用）の４ビットの駆動信号を生成して客用液晶表示パネル１０に送信し、客用液晶表示パネル１０に画像信号に基づいた客用の画像を表示させる。同時に、下画面駆動信号生成部３３によって、マイコン２０から入力された画像信号のうちの店員用（下画像用）の画像信号に基づいて店員用（下画像用）４ビットの駆動信号を生成して、店員用液晶表示パネル１１に送信し、店員用液晶表示パネル１１に画像信号に基づいた店員用の画像を表示させる。そして、この構成では、上画像用の画像信号としての客用液晶表示パネル１０用の画像信号と、下画像用の画像信号としての店員用液晶表示パネル１１用の画像信号とが異なるものであっても、それぞれの画像信号に基づく異なる内容の表示が客用液晶表示パネル１０と店員用液晶表示パネル１１とに表示される。
【００２７】
ここで、ＤＳＴＮ型液晶表示パネル用の液晶パネルコントローラ２８は、一般的な汎用品であり、専用の開発設計を必要とすることなく容易に入手可能である。そして、前述したように、マイコン２０が生成する客用の画像信号と店員用の画像信号とは、異なるものであっても良いし、同じものであっても良い。マイコン２０が生成する客用の画像信号と店員用の画像信号とが異なる場合には、客用及び店員用の液晶表示パネル１０，１１に異なる表示を容易に行なわせることが可能である。このようなことから、本実施の形態によれば、専用の開発設計なしに、複数の表示器（第１の表示器である客用表示器６と第２の表示器である店員用表示器７）がそれぞれ備える客用及び店員用の液晶表示パネル１０，１１を単一の表示コントローラ２８で駆動制御でき、しかも、同一の取引内容ではあっても異なる表示内容を表示可能にすることができる。
【００２８】
また、縦方向制御画素数が２Ｘ以上であるＤＳＴＮ型液晶表示パネル（例えば、画素数（横×縦）＝３２０ドット×２４０ドット、３２０ドット×４８０ドット、６４０ドット×４８０ドット）用の液晶パネルコントローラ２８は、縦方向制御画素数がＸであるＳＴＮ型液晶表示パネル（例えば、画素数（横×縦）＝３２０ドット×１２０ドット、３２０ドット×２４０ドット、６４０ドット×２４０ドット）用の液晶パネルコントローラ（図示せず）と略同等のコストで製造可能であり、大きさも同程度となる。したがって、ＳＴＮ型の液晶表示パネル１０，１１を有する客用及び店員用の二つの表示器６，７をＤＳＴＮ型液晶表示パネル用の単一の液晶パネルコントローラ２８によって駆動制御する構成としたことで、二つのＳＴＮ型の液晶表示パネル用の液晶パネルコントローラにより二つのＳＴＮ型液晶表示パネルを駆動制御する従来の秤装置に比べて、秤装置１の低コスト化を図ることができ、また、液晶パネルコントローラ２８の占めるスペースも従来のものに比べて半分になるので、秤装置１の小型化を図ることができる。また、液晶パネルコントローラ２８の占めるスペースが従来のものに比べて半分になるので、液晶パネルコントローラ２８を搭載しているＰＣ板の大きさも小さくすることができる。
【００２９】
なお、本実施の形態では、商品販売データ処理装置として秤装置１を例に説明したが、商品販売データ処理装置としてはこれに限るもものではなく、例えば、ＰＯＳ端末やＥＣＲ等の商品販売データ処理を実行するものであれば良い。
【図面の簡単な説明】
【００３０】
【図１】本発明の実施の一形態の秤装置を示す正面図である。
【図２】その側面図である。
【図３】秤装置が備える各部の電気的接続を示すブロック図である。
【図４】客用及び店員用の液晶表示パネルと液晶パネルコントローラとを示すブロック図である。
【符号の説明】
【００３１】
１…秤装置（商品販売データ処理装置）、６…客用表示器（第１の表示器）、７…店員用表示器（第２の表示器）、９…ロードセルユニット（計量部）、１０…液晶表示パネル、１１…液晶表示パネル、２０…マイクロコンピュータ（データ処理部）、２８…液晶パネルコントローラ
【図１】
2005228099.tif 000003
【図２】
2005228099.tif 000004
【図３】
2005228099.tif 000005
【図４】
2005228099.tif 000006